(57)【要約】【課題】短期間の間に打設と引き抜きを繰り返し行う状況で使用する打設杭において、引き抜き作業を行うときに容易に引き抜くことができる打設杭を提供すること。【解決手段】正面１１と背面及び右側面１３と左側面１４が平行である四角柱形状の胴体部１０と、前記胴体部から上方に延設する頭部２０と、前記胴体部から下方に延設する脚部３０とが一体的に構成され、前記頭部に所定の大きさの円形の頭部孔２２を穿設した打設杭１を提供する。【選択図】図２
0003187581.tif 000002
【実用新案登録請求の範囲】
【請求項１】
多角柱形状の胴体部と、
前記胴体部から上方に延接する頭部と、
前記胴体部から下方に延設する脚部と、
で一体的に構成する打設杭。
【請求項２】
前記胴体部が四角柱形状である請求項１に記載の打設杭。
【請求項３】
前記胴体部の正面と背面又は一方の側面と他方の側面が平行である請求項２に記載の打設杭。
【請求項４】
前記胴体部の一方の側面の幅（Ｌ２）と前記頭部及び前記脚部の側面の幅が、同一幅である請求項２又は請求項３に記載の打設杭。
【請求項５】
前記頭部の正面に前記胴体部が挿通可能な大きさの頭部孔を設けた請求項１から請求項４いずれかに記載の打設杭。
【考案の詳細な説明】
【技術分野】
【０００１】
本願考案は、頭部を木槌等で殴打することにより脚部の先端から胴体部にかけて地中に埋没し容易に引き抜けなくなる打設杭に関するものである。
【背景技術】
【０００２】
脚部の先端から胴体部にかけて地中に埋没させた打設後の状態を維持し、容易に引き抜くことを防止する打設杭が開発されている。
【０００３】
例えば、スパイラル状の浮き上がり防止杭（特許文献１）や、抜け防止付倍力機構応用の杭（特許文献２）などである。
【先行技術文献】
【特許文献】
【０００４】
【特許文献１】特開２００６−１５２６３２号公報
【特許文献２】特開２０１０−４８０２２号公報
【考案の概要】
【考案が解決しようとする課題】
【０００５】
上述した特許文献１のスパイラス状の浮き上がり防止杭は、螺旋状に地面に捻じ込まれるため打設後の状態が維持でき容易に引き抜くことを防止する。
【０００６】
また、上述した特許文献２の抜け防止付倍力機構応用の杭は、抜け防止機構を備えるため打設後の状態が維持でき容易に引き抜くことを防止する。
【０００７】
しかしながら、特に短期間の間に打設と引き抜きを繰り返し行う状況で使用する打設杭においては、上述した様な容易に引き抜くことを防止する機能が不要とまではしないものの、引き抜き作業を行うときに容易に引き抜くことができるという機能の方を重要視する場合もある。
【０００８】
そこで、特に引き抜き作業を行うときに容易に引き抜くことができる打設杭を提供することを課題とする。
【課題を解決するための手段】
【０００９】
上記の課題を解決するために、多角柱形状（四角柱形状など）の胴体部と、前記胴体部から上方に延接する頭部と、前記胴体部から下方に延設する脚部とで一体的に構成する打設杭を提供する。
【００１０】
また、上記の課題を解決するために、四角柱形状の胴体部と、前記胴体部から上方に延接する頭部と、前記胴体部から下方に延設する脚部とで一体的に構成し、前記胴体部の正面と背面又は一方の側面と他方の側面が平行である打設杭を提供する。
【００１１】
また、上記の課題を解決するために、四角柱形状の胴体部と、前記胴体部から上方に延接する頭部と、前記胴体部から下方に延設する脚部とで一体的に構成し、前記胴体部の正面と背面又は一方の側面と他方の側面が平行であり、さらに前記胴体部の一方の側面の幅と前記頭部及び前記脚部の側面の幅が、同一幅である打設杭を提供する。
【００１２】
また、上記の課題を解決するために、四角柱形状の胴体部と、前記胴体部から上方に延接する頭部と、前記胴体部から下方に延設する脚部とで一体的に構成し、前記胴体部の正面と背面又は一方の側面と他方の側面が平行であり、さらに前記胴体部の一方の側面の幅と前記頭部及び前記脚部の側面の幅が、同一幅であり、前記頭部の正面に前記胴体部が挿通可能な大きさの孔を設けた打設杭を提供する。
【考案の効果】
【００１３】
本願考案の打設杭は多角柱形状（角を有する形状）であるため、地中に埋没された胴体部を軸心回りにまわすと胴体部の角が胴体部周辺の土砂を削る。その結果、胴体部周辺の土砂が柔らかくなる又は隙間が生じるため容易に引き抜くことができる。
【００１４】
また、本願考案の打設杭は、胴体部が四角柱形状であるため、胴体部のすべての面と土砂との関係において、打設杭を上方に引き抜くときに土砂が妨げとならないため、容易に引き抜くことが可能となる。また、製造又は加工が容易な形状であるためコストの低減にもなる。
【００１５】
また、本願考案の打設杭は、胴体部の正面と背面又は一方の側面と他方の側面が平行であるため、胴体部の各面と土砂との関係において、打設杭を上方に引き抜くときに土砂が妨げとならないため、容易に引き抜くことが可能となる。
【００１６】
また、本願考案の打設杭は、頭部の最上部から脚部の最下部までの側面の幅が同一幅であるため、打設杭を上方に引き抜くときに土砂が妨げとならないため、容易に引き抜くことが可能となる。
【００１７】
また、本願考案の打設杭は、頭部に前記胴体部が挿通可能な大きさの頭部孔を設けているため、他の打設杭を前記頭部孔に挿通し胴体部の軸心回りにまわすことが可能となる。
【図面の簡単な説明】
【００１８】
【図１】図１は、打設杭の全体構成を示す斜視図である。
【図２】図２は、打設杭の全体構成を示す正面図である。
【図３】図３は、打設杭の全体構成を示す側面図である。
【図４】図４は、胴体部の長さが異なる打設杭を示す斜視図である。
【図５】図５は、打設作業時の操作を示す斜視図である。
【図６】図６は、引き抜き作業の初期操作をあらわす平面図である。
【図７】図７は、引き抜き作業の終期操作をあらわす切断断面である。
【図８】図８は、テント設営に打設杭を使用する場合のイメージ図である。
【考案を実施するための形態】
【００１９】
一例として、地面に敷いた樹脂製シートを打設杭で固定し、風圧で飛ばされることを防止する。
【００２０】
まずは、打設杭の構成について、図１から図４に従い説明する。
【００２１】
打設杭（１）は、四角柱形状の胴体部（１０）と、前記胴体部から上方に延設する頭部（２０）と、前記胴体部から下方に延接する脚部（３０）とで一体的に構成する（図１）。
【００２２】
前記胴体部の正面（１１）の幅（Ｌ１）は、９ミリメートルである（図２）。
【００２３】
また、前記胴体部の背面（１２）の幅も、９ミリメートルである。
【００２４】
前記胴体部の正面（１１）と背面（１２）とは平行に成形している（図３）。
【００２５】
前記胴体部の右側面（１３）の幅（Ｌ２）は、６ミリメートルである（図３）。
【００２６】
また、前記胴体部の左側面（１４）の幅も、６ミリメートルである。
【００２７】
前記胴体部の右側面（１３）と左側面（１４）とは平行に成形している（図２）。
【００２８】
したがって、本実施例の前記胴体部の断面形状は、長方形である。
【００２９】
前記頭部（２０）は、前記胴体部の正面の幅（Ｌ１）から上方へ一端拡幅して延設した後一定の幅（Ｌ３）でさらに上方へ延設しており、正面視ホームベース形状（角丸の略５角形）をしている（図２）。
【００３０】
前記頭部の最上端面である頭頂部（２１）の端面形状について、凹面、凸面或いは平坦面等いずれでも良いが、木槌等で殴打し易い平坦面に成形することが好ましい（図３）。
【００３１】
前記頭部の正面中央部には直径１３ミリメートル（Ｌ４）の円形の頭部孔（２２）を設けている（図２）。
【００３２】
前記頭部孔（２２）の形状及び大きさ（外形サイズ）について、四角形、だ円形或いは円形等いずれでも良いが、加工のしやすさ及び加工コストなどを考慮すると円形に穿設することが好ましい。また、当該打設杭の胴体部が挿通可能な大きさ（外形サイズ）である方が好ましい。
【００３３】
前記頭部の側面の幅について、前記胴体部の両側面の幅（Ｌ２）と同一の６ミリメートルである。
【００３４】
前記脚部（３０）は、前記胴体部の正面の幅（Ｌ１）から下方へ縮幅して延設しており、最先端部は打設時に埋没しやすい尖った形状に成形している（図２）。
【００３５】
前記脚部の側面の幅について、前記胴体部との境界である脚部上方から尖った最先端部である脚部下方まで一定で変化せず、前記胴体部の両側面の幅（Ｌ２）と同一の６ミリメートルである。
【００３６】
なお、打設杭（１）の頭部（２０）、胴体部（１０）、脚部（３０）のバランス及び全体の長さについては、いずれであっても良く、例えば、胴体部を長く延設したタイプの打設杭も許容し得る（図４）。
【００３７】
なお、打設杭の材質について、前記胴体部、頭部及び脚部すべて同一の金属を使用して一体的に成形している。
【００３８】
次に、打設作業時の操作について、図５に従い説明する。
【００３９】
地面（５０）に、樹脂製のシート（４０）を敷く。
【００４０】
前記樹脂製のシートの止め孔（４１）に、打設杭の脚部（３０）の最先端を挿し、その後、前記打設杭の頭頂部（２１）を木槌等で殴打して前記打設杭を地中に埋没させて前記樹脂製のシートを固定する。
【００４１】
次に、引き抜き作業時の操作について、図６及び図７に従い説明する。
【００４２】
地中に埋没している前記打設杭の頭部（２０）を手で掴み、胴体部の軸心（Ｘ）回りにまわす（図６では時計回りにまわしている状態を示す）。
【００４３】
なお、前記打設杭の頭部（２０）を手で掴んでまわせない場合は、前記打設杭の頭部に穿設した頭部孔（２２）に、他の打設杭などを挿通して胴体部の軸心（Ｘ）回りにまわすことも可能である（図示せず）。
【００４４】
前記地中に埋没している打設杭を胴体部の軸心（Ｘ）回りにまわすと、前記胴体部の正面（１１）と右側面（１３）が交差する角、或いは前記胴体部の正面（１１）と左側面（１４）が交差する角等が周辺の土砂を削るため、前記胴体部の周辺部が柔らかくなる又は前記胴体部の周辺部に隙間が生じる（図７の状態）。
【００４５】
その後、地中に埋没している前記打設杭の頭部（２０）を手で掴み、上方（地上方向）へ引き抜く（図７）。
【００４６】
前記打設杭（１）は、上述したような樹脂製のシートを固定する他にも様々な使用が考えられ得る。例えば、テント（６０）の設営などである（図８）。
【産業上の利用可能性】
【００４７】
本願考案の打設杭は、特に引き抜き作業時の操作性に優れた打設杭であるので、産業上の利用性を有する。
【符号の説明】
【００４８】
１          打設杭
１０        胴体部
１１        正面
１２        背面
１３        右側面（一方の側面）
１４        左側面（他方の側面）
２０        頭部
２１        頭頂部
２２        頭部孔
３０        脚部
４０        樹脂製のシート
４１        樹脂製のシートの止め孔
５０        地面（地表、地中）
６０        テント
Ｌ１        胴体部の正面の幅
Ｌ２        胴体部の側面の幅
Ｌ３        頭部の正面の幅
Ｌ４        頭部孔の直径
Ｘ          胴体部の軸心
【図１】
0003187581.tif 000003
【図２】
0003187581.tif 000004
【図３】
0003187581.tif 000005
【図４】
0003187581.tif 000006
【図５】
0003187581.tif 000007
【図６】
0003187581.tif 000008
【図７】
0003187581.tif 000009
【図８】
0003187581.tif 000010